(57)【要約】      （修正有）【課題】印面を有する印紋本体の宝珠体凸部と、前記宝珠体凸部の直径以下の壷体開口部の壷体凹部を有する取手本体を接続することにより、分離防止と滑らかなくびふり構造の印材と製造方法を提供する。【解決手段】印面１を有する印紋本体２に宝珠体凸部３を設け、前記宝珠体凸部３の直径以下の壷体開口部４の壷体凹部５を有する取手本体６を設け、前記宝珠体凸部３に前記壷体凹部５を接続した木製の印材及び製造することを特徴とする。【選択図】図１
2006116932.tif 000002
【特許請求の範囲】
【請求項１】
印面（１）が取手（６）に対して傾斜する取付構造の印材において、印面（１）を有する印紋本体（２）に宝珠体凸部（３）を設け、前記宝珠体凸部（３）の直径以下の壷体開口部（４）の壷体凹部（５）を有する取手本体（６）を設け、前記宝珠体凸部（３）に前記壷体凹部（５）を接続したくびふり印材。
【請求項２】
印紋本体（２）の宝珠体凸部（３）と取手本体（６）の壷体凹部（５）が接続し、可動傾斜する請求項１記載のくびふり印材。
【請求項３】
宝珠体凸部（３）を有する印紋本体（２）を回転させて、壷体凹部開口部（４）に当て、宝珠の球体の回転効果と螺旋効果の相乗効果で、宝珠体凸部（３）を、前記壷体凹部（５）に内挿し、外れない構造に製造した請求項２の木製のくびふり印材の製造方法である。
【発明の詳細な説明】
【技術分野】
【０００１】  本発明は、２分割した印材の型及び嵌め込み製造方法に関する。
【背景技術】
【０００２】  従来の印面が取手に対して傾斜する取付構造の印材は、取付けの関節部分の凹部と凸部を合わせた構造であるが、分離しやすく、印面部、捺印部を紛失する場合があった。凹部と凸部が分離しない構造にするためには、凹部の開口部を分離し凸部の球体を挟む方法や、印面部と捺印部を弾性ゴムやスプリング等の緩材で接合する必要があった。又、凹部と凸部を用いない印面が取手に対し傾斜する取付構造の印材であっても、同じく印面部と捺印部を弾性ゴムやスプリング等の緩材を用い接合する必要があった。【０００３】  以上のことから、従来の印面部が取手に対し傾斜する取付構造の印材で、分離しない構造で傾斜可動を実現する目的で、部材の分割や印面と取手の接合のため、製造工程の効果を必要とするものである。【０００４】
【実用新案文献１】
公開実用新案公報  平１−９５３６６
【実用新案文献２】
実願平８−７４７９
【発明の開示】
【発明が解決しようとする課題】
【０００５】  解決しようとする問題点は、木材では、印面が取手に対し傾斜可動する取付構造の印材であって、印紋本体（２）と取手本体（６）が分離しない構成が出来ない点である。【０００６】  前記の目的を達成するため、本発明は、印紋本体（２）と取手本体（６）の２部品から構成され、印面（１）を有する印紋本体（２）に宝珠体凸部（３）を設け、前記宝珠体凸部（３）の直径以下の壷体開口部（４）の壷体凹部（５）を有する取手本体（６）を設け、前記宝珠体凸部（３）に前記壷体凹部（５）を接合した構成とした。
【課題を解決するための手段】
【０００７】  本発明は、印紋本体（２）の宝珠体凸部（３）と取手本体（６）の壷体凹部（５）が接続し、可動傾斜する構成とした。【０００８】  本発明は、壷体開口部（４）の内径と宝珠体凸部（３）の球体外径とに差をつけた引っ掛け構造及び宝珠体凸部（３）球体の回転効果と螺旋効果により、宝珠体凸部（３）を壷体開口部（４）を通して壷体凹部（５）に挿入し製造する木製のくびふり印材の製造方法とした。
【発明の効果】
【０００９】  上述したように本発明のくびふり印材の製造方法は、印紋部の分離・紛失を防止するとともに使用者の方へ捺印業務の能率向上が期待出来、社会の信用業務に貢献できる印鑑を提供できる。併せて、日本の伝統に貢献できるものである。【００１０】  従来の一本物印鑑は、捺印という最も単純で、最も重要な信用を表現する社会的行為が１／３６０（１度は垂直を表し、３６０度は平面を表す。）のため、捺印業務の確率が、０，３％という低い確率である。一方、くびふり印材は、３６０／３６０（分子の３６０度はくびふりを表し、分母の３６０度は平面を表す。）という可動性から、捺印業務の確率は１００％という高い確率が確保できる。【００１１】  従来の技術により作製される印材は、二度押し、書類の書き直し、盲印などの社会現象となって、疎まれ、敬遠され、日本伝統の印鑑が存亡の危機に存している。
【発明を実施するための最良の形態】
【００１２】  以下、本発明の実施するための最良の形態について説明する。本発明に係わるくびふり印材は、印面（１）を有する印紋本体（２）に宝珠体凸部（３）を設ける。前記宝珠体凸部（３）の直径以下の壷体開口部（４）を有する取手本体（６）を設ける。前記宝珠体凸部（３）に前記壷体凹部（５）を接続したことにより、印面が取手に対して傾斜する取付構造の印材が実現した。印紋本体（２）の宝珠体凸部（３）と取手本体（６）の壷体凹部（５）が接続し、可動傾斜するものである。宝珠体凸部（３）を球体回転効果と螺旋効果により前記壷体凹部（５）に挿入し製造する木製のくびふり印材の製造方法である。
【実施例】
【００１３】  以下本発明の実施の形態を添付図面に基づいて説明する。
図１は、本発明の構成を示す断面図である。本発明は印面（１）を有する印紋本体（２）に宝珠体凸部（３）を設ける。前記宝珠体凸部（３）の直径以下の壷体開口部（４）の壷体凹部（５）を有する取手本体（６）を設ける。前記宝珠体凸部（３）に前記壷体凹部（５）を接続した構造である。特に、前記宝珠体凸部（３）の直径以下の前記壷体開口部（４）を有する前記壺体凹部（５）に前記宝珠体凸部（３）を挿入接続した構造である。【００１４】  図２は、本発明の実施状態を示す断面図である。本発明は印紋本体（２）の宝珠体凸部（３）と取手本体（６）の壷体凹部（５）が接続し、可動傾斜する構造である。図２（ａ）は前記印紋本体（２）に対し、前記取手本体（６）が傾斜した状態を示す断面図である。図２（ｂ）は前記印紋本体（２）に対し前記取手本体（６）が天地垂直である状態を示す断面図である。図２（ｃ）は前記印紋本体（２）に対し前記取手本体（６）が前記取手本体（６）の後傾した状態を示す断面図である。前記印面（１）の前記印紋本体（２）に対し、前記取手本体（６）は、前後左右又は同円周内で円滑に可動するもので、印面（１）に均一に圧力がかかる構造である。【００１５】  図３は、本発明の製造工程を示す断面図である。壷体凹部（５）を有する取手本体（６）を固定、球体の回転効果及び螺旋効果により、印紋宝珠珠体凸部（３）を有する印紋本体（２）を挿入する木製のくびふり印材の製造方法である。図３（ａ）は、前記取手本体（６）の前記壷体凹部（５）と、前記印紋本体（２）の前記宝珠体凸部（３）を示した断面図であり、前記宝珠体凸部（３）の直径以下の前記壷体開口部（４）と前記壷体凹部（５）を有する前記取手本体（６）で、接続相通する前の断面図である。図３（ｂ）は、前記取手本体（６）の前記壷体凹部（５）と、前記印紋本体（２）の前記宝珠体凸部（３）を示した断面図であり、前記壷体凹部（５）に前記宝珠体凸部（３）を接続相通する状態の断面図である。図３（ｃ）は、前記壷体凹部（５）に前記宝珠体凸部（３）を接続相通後、内挿の完成した状態を示す断面図である。
以上により、前記印紋本体（２）に対し、前記取手本体（６）が円滑に傾斜可動する取手構造の印材が可能となる。
【産業上の利用可能性】
【００１６】  イ  木工旋盤業務の業務拡大。
ロ  木工旋盤工の技術向上。
ハ  印鑑文化の世界伝播。
ニ  印鑑文化のルネサンス。
ホ  印鑑文化の温故知新。
ヘ  木材の多角的利用拡大。
ト  鋳型工業の振興。
チ  捺印業務のリズム化。
リ  資源の再利用。
ヌ  社会の信用度向上。
オ  印鑑の利用拡大。
【符号の説明】
【００１７】  １  印面
２  印紋本体
３  宝珠体凸部
４  壷体開口部
５  壷体凹部
６  取手本体
【図１】
2006116932.tif 000003
【図２】
2006116932.tif 000004
【図３】
2006116932.tif 000005
【手続補正書】
【提出日】平成17年1月18日(2005.1.18)
【手続補正１】
【補正対象書類名】明細書
【補正対象項目名】全文
【補正方法】変更
【補正の内容】
【発明の詳細な説明】
【技術分野】
【０００１】  本発明は、２分割した印材の型及び嵌め込み製造方法に関する。
【背景技術】
【０００２】  従来の印面が取手に対して傾斜する取付構造の印材は、取付けの関節部分の凹部と凸部を合わせた構造であるが、分離しやすく、印面部、捺印部を紛失する場合があった。凹部と凸部が分離しない構造にするためには、凹部の開口部を分離し凸部の球体を挟む方法や、印面部と捺印部を弾性ゴムやスプリング等の緩材で接合する必要があった。又、凹部と凸部を用いない印面が取手に対し傾斜する取付構造の印材であっても、同じく印面部と捺印部を弾性ゴムやスプリング等の緩材を用い接合する必要があった。【０００３】  以上のことから、従来の印面部が取手に対し傾斜する取付構造の印材で、分離しない構造で傾斜可動を実現する目的で、部材の分割や印面と取手の接合のため、製造工程の効果を必要とするものである。【０００４】
【実用新案文献１】
公開実用新案公報  平１−９５３６６
【実用新案文献２】
実願平８−７４７９
【発明の開示】
【発明が解決しようとする課題】
【０００５】  解決しようとする問題点は、木材では、印面が取手に対し傾斜可動する取付構造の印材であって、印紋本体（２）と取手本体（６）が分離しない構成が出来ない点である。【０００６】  前記の目的を達成するため、本発明は、印紋本体（２）と取手本体（６）の２部品から構成され、印面（１）を有する印紋本体（２）に宝珠体凸部（３）を設け、前記宝珠体凸部（３）の直径以下の壷体開口部（４）の壷体凹部（５）を有する取手本体（６）を設け、前記宝珠体凸部（３）に前記壷体凹部（５）を接合した構成とした。
【課題を解決するための手段】
【０００７】  本発明は、印紋本体（２）の宝珠体凸部（３）と取手本体（６）の壷体凹部（５）が接続し、可動傾斜する構成とした。【０００８】  本発明は、壷体開口部（４）の内径と宝珠体凸部（３）の球体外径とに差をつけた引っ掛け構造及び宝珠体凸部（３）球体の回転効果と螺旋効果により、宝珠体凸部（３）を壷体開口部（４）を通して壷体凹部（５）に挿入し製造する木製のくびふり印材の製造方法とした。
【発明の効果】
【０００９】  上述したように本発明のくびふり印材の製造方法は、印紋部の分離・紛失を防止するとともに使用者の方へ捺印業務の能率向上が期待出来、社会の信用業務に貢献できる印鑑を提供できる。併せて、日本の伝統に貢献できるものである。【００１０】  従来の一本物印鑑は、捺印という最も単純で、最も重要な信用を表現する社会的行為が１／３６０（１度は垂直を表し、３６０度は平面を表す。）のため、捺印業務の確率が、０，３％という低い確率である。一方、くびふり印材は、３６０／３６０（分子の３６０度はくびふりを表し、分母の３６０度は平面を表す。）という可動性から、捺印業務の確率は１００％という高い確率が確保できる。【００１１】  従来の技術により作製される印材は、二度押し、書類の書き直し、盲印などの社会現象となって、疎まれ、敬遠され、日本伝統の印鑑が存亡の危機に存している。
【発明を実施するための最良の形態】
【００１２】  以下、本発明の実施するための最良の形態について説明する。本発明に係わるくびふり印材は、印面（１）を有する印紋本体（２）に宝珠体凸部（３）を設ける。前記宝珠体凸部（３）の直径以下の壷体開口部（４）を有する取手本体（６）を設ける。前記宝珠体凸部（３）に前記壷体凹部（５）を接続したことにより、印面が取手に対して傾斜する取付構造の印材が実現した。印紋本体（２）の宝珠体凸部（３）と取手本体（６）の壷体凹部（５）が接続し、可動傾斜するものである。宝珠体凸部（３）を球体回転効果と螺旋効果により前記壷体凹部（５）に挿入し製造する木製のくびふり印材の製造方法である。
【実施例】
【００１３】  以下本発明の実施の形態を添付図面に基づいて説明する。
図１は、本発明の構成を示す断面図である。本発明は印面（１）を有する印紋本体（２）に宝珠体凸部（３）を設ける。前記宝珠体凸部（３）の直径以下の壷体開口部（４）の壷体凹部（５）を有する取手本体（６）を設ける。前記宝珠体凸部（３）に前記壷体凹部（５）を接続した構造である。特に、前記宝珠体凸部（３）の直径以下の前記壷体開口部（４）を有する前記壷体凹部（５）に前記宝珠体凸部（３）を挿入接続した構造である。【００１４】  図２は、本発明の実施状態を示す断面図である。本発明は印紋本体（２）の宝珠体凸部（３）と取手本体（６）の壷体凹部（５）が接続し、可動傾斜する構造である。図２（ａ）は前記印紋本体（２）に対し、前記取手本体（６）が傾斜した状態を示す断面図である。図２（ｂ）は前記印紋本体（２）に対し前記取手本体（６）が天地垂直である状態を示す断面図である。図２（ｃ）は前記印紋本体（２）に対し前記取手本体（６）が前記取手本体（６）の後傾した状態を示す断面図である。前記印面（１）の前記印紋本体（２）に対し、前記取手本体（６）は、前後左右又は同円周内で円滑に可動するもので、印面（１）に均一に圧力がかかる構造である。【００１５】  図３は、本発明の製造工程を示す断面図である。壷体凹部（５）を有する取手本体（６）を固定、球体の回転効果及び螺旋効果により、印紋宝珠珠体凸部（３）を有する印紋本体（２）を挿入する木製のくびふり印材の製造方法である。図３（ａ）は、前記取手本体（６）の前記壷体凹部（５）と、前記印紋本体（２）の前記宝珠体凸部（３）を示した断面図であり、前記宝珠体凸部（３）の直径以下の前記壷体開口部（４）と前記壷体凹部（５）を有する前記取手本体（６）で、接続相通する前の断面図である。図３（ｂ）は、前記取手本体（６）の前記壷体凹部（５）と、前記印紋本体（２）の前記宝珠体凸部（３）を示した断面図であり、前記壷体凹部（５）に前記宝珠体凸部（３）を接続相通する状態の断面図である。図３（ｃ）は、前記壷体凹部（５）に前記宝珠体凸部（３）を接続相通後、内挿の完成した状態を示す断面図である。
以上により、前記印紋本体（２）に対し、前記取手本体（６）が円滑に傾斜可動する取手構造の印材が可能となる。
【産業上の利用可能性】
【００１６】  イ  木工旋盤業務の業務拡大。
ロ  木工旋盤工の技術向上。
ハ  印鑑文化の世界伝播。
ニ  印鑑文化のルネサンス。
ホ  印鑑文化の温故知新。
ヘ  木材の多角的利用拡大。
ト  鋳型工業の振興。
チ  捺印業務のリズム化。
リ  資源の再利用。
ヌ  社会の信用度向上。
オ  印鑑の利用拡大。
【図面の簡単な説明】
【００１７】
【図１】本発明の構成を示す断面図である。
【図２】本発明の実施状態を示す断面図である。
【図３】本発明の製造工程を示す断面図である。
【符号の説明】
【００１８】  １  印面
２  印紋本体
３  宝珠体凸部
４  壷体開口部
５  壷体凹部
６  取手本体